(57)【要約】【課題】  目覚し時計としての機能と合せて使用者に話しかけて自然な面白味や独身者などに安らぎを与えることのできる目覚し時計を提供する。【解決手段】  アラーム報知音データとは異なる音声データの複数個を前記データ記憶手段61に記憶し、この各音声データを読み出す順番を記憶する発音順記憶手段53と、この各音声データを読み出す間隔時間データを記憶する読み出し間隔記憶手段57と、前記読み出し間隔記憶手段57に記憶された間隔時間データを順次読み出し、この間隔時間データによる時間経過後に、アラームセット状態でなければ発音順記憶手段53に記憶された順番の音声データによる発音を実行させる制御部51と、を有するものとする。【選択図】    図１
2012063290.tif 000002
【特許請求の範囲】
【請求項１】
時計回路、時刻表示部、スピーカー、及び、アラーム報知音データを記憶するデータ記憶手段を備える目覚し時計であって、
アラーム報知音データとは異なる音声データの複数個を前記データ記憶手段に記憶し、この各音声データを読み出す順番を記憶する発音順記憶手段と、この各音声データを読み出す間隔時間データを記憶する読み出し間隔記憶手段と、前記読み出し間隔記憶手段に記憶された間隔時間データを順次読み出し、この間隔時間データによる時間経過後に、アラームセット状態でなければ発音順記憶手段に記憶された順番の音声データによる発音を実行させる制御部と、を有することを特徴とする目覚し時計。
【請求項２】
前記制御部は、１日の内の設定された時間範囲内のときに発音順記憶手段に記憶された順番の音声データによる発音を実行させることを特徴とする請求項１に記載した目覚し時計。
【請求項３】
前記データ記憶手段は、十数種類の各々が異なる言葉の音声データを記憶し、読み出し間隔記憶手段には、３０分を基準として所要分秒を加えた又は引いた時間データであり、データによる時間数が複数の異なる時間数となり、このデータの１２個又は２４個による時間数の総和が３０分の整数倍となる時間間隔データが記憶されていることを特徴とする請求項１又は請求項２に記載した目覚し時計。
【請求項４】
前記発音順記憶手段には、前記各音声データの読み出し順番を異ならせた複数回分の順番データが記憶されていることを特徴とする請求項１乃至請求項３の何れかに記載した目覚し時計。
【請求項５】
更に、時計体が持ち上げられ又は移動させられたことを検出するセンサーを時計体に備え、前記制御部は、時計体が動かされたことを前記センサーで検知すると、数分以内に前記データ記憶手段の音声データの複数個を読み出してこの音声データによる発音を実行させることを特徴とする請求項１乃至請求項４の何れかに記載した目覚し時計。
【請求項６】
時計体の近くを人が横切ることを検知するセンサーを時計体に備え、前記制御部は、時計体の近くを人が移動したことを前記センサーで検知すると、数分以内に前記データ記憶手段の音声データの複数個を読み出してこの音声データによる発音を実行させることを特徴とする請求項１乃至請求項５の何れかに記載した目覚し時計。
【発明の詳細な説明】
【技術分野】
【０００１】
本発明は、音声や音楽をアラーム報知音とすると共に、アラーム報知音発音時以外にも音声や音楽を発音する目覚し時計に関するものである。
【背景技術】
【０００２】
今日、目覚まし時計とされる電子時計のアラーム報知音として、音声ＩＣを用いて音声データやメロディーデータによる音声や音楽を発音させることのできる時計体が種々利用されている。
【０００３】
これらの目覚し時計では、音声ＩＣに記憶させる音声データとして複数の言葉を記憶させておき、アラーム時刻になると使用者に対して最初は話し掛けるように会話調で音声を発音し、スヌーズ機能による音声報知の回数により、アラーム音の報知が繰り返されると叱責するような音声に変化させて就寝者を起こすものもある。
【０００４】
また、記憶された音声データのみでなく、使用者が任意の音声を入力録音することを可能とし、録音した音声データに基づく音声と予め記憶されている音声データに基づく音声などにより、アラーム時刻におけるアラーム音や録音音声による報知を行い、また、スケジュール時刻になると所定の録音音声を発音するものなどがある。
【０００５】
更に、時計体相互間で音声データなどのデータ交換を可能とし、通常モードやアラームモードの他、コミュニケーションモードなどの複数のモードを有してモード切換えにより遊びとしての使用を可能とする目覚し時計（例えば特許文献１）もある。
【先行技術文献】
【特許文献】
【０００６】
【特許文献１】特開２００１−２６４４６号
【発明の概要】
【発明が解決しようとする課題】
【０００７】
前述のように、従来の目覚し時計は、使用者が設定したアラーム時刻や使用者が特定の操作を行ったときに種々の音声などによる発音を行うものではあるも、使用者の設定操作などによる使用目的に応えるものであって、自然な面白味や安らぎを与えるには不十分であった。
【０００８】
本発明は、目覚し時計としての機能と合せて使用者に話しかけて自然な面白味や独身者などに安らぎを与えることのできる時計を提供することを目的とするものである。
【課題を解決するための手段】
【０００９】
本発明に係る目覚し時計は、時計回路、時刻表示部、スピーカー、及び、アラーム報知音データを記憶するデータ記憶手段を備える目覚し時計であって、アラーム報知音データとは異なる音声データの複数個を前記データ記憶手段に記憶し、この各音声データを読み出す順番を記憶する発音順記憶手段と、この各音声データを読み出す間隔時間データを記憶する読み出し間隔記憶手段と、前記読み出し間隔記憶手段に記憶された間隔時間データを順次読み出し、この間隔時間データによる時間経過後に、時計体がアラームセット状態でなければ発音順記憶手段に記憶された順番の音声データによる発音を実行させる制御部と、を有するものである。
【００１０】
そして、前記制御部は、１日の内の設定された時間範囲内のときに発音順記憶手段に記憶された順番の音声データによる発音を実行させるものである。
【００１１】
また、前記データ記憶手段は、十数種類の各々が異なる言葉の音声データを記憶し、読み出し間隔記憶手段は、３０分を基準として所要分秒を加えた又は引いた時間データであり、このデータによる時間数が複数の異なる時間数となり、このデータの１２個又は２４個による時間数の総和が３０分の整数倍となる時間間隔データを記憶することもある。
【００１２】
更に、前記発音順記憶手段には、前記各音声データの読み出し順番を異ならせた複数回分の順番データを記憶させるものである。
【００１３】
そして、時計体が持ち上げられ又は移動させられたことを検出するセンサーを時計体に備え、前記制御部は、時計体が動かされたことを前記センサーで検知すると、数分以内に前記データ記憶手段の音声データの複数個を読み出してこの音声データによる発音を実行させることもある。
【００１４】
更に、時計体の近くを人が横切ることを検知するセンサーを時計体に備え、前記制御部は、時計体の近くを人が移動したことを前記センサーで検知すると、数分以内に前記データ記憶手段の音声データの複数個を読み出してこの音声データによる発音を実行させることもある。
【発明の効果】
【００１５】
本発明にかかる目覚し時計は、アラーム報知音データとは異なる音声データの複数個を記憶するデータ記憶手段と、発音順記憶手段と、読み出し間隔記憶手段と、アラームセット状態でなければ発音順記憶手段に記憶された順番の音声データによる発音を実行させる制御部と、を有するため、アラームセットがされていない使用者が就寝していないときに所要時間毎に音声データによる発音を自動的に行って時計体が使用者に話し掛けるように感じさせて使用者を楽しませることができる。
【００１６】
また、この音声データによる発音を１日の内の設定された時間範囲内のときに実行させるものとすれば、夜間などの使用者が就寝しているときに無用な発声を行うことを無くすことができる。
【００１７】
そして、十数種類の音声データと、読み出し間隔の時間データを３０分を基準として異なる時間間隔の時間データとすることにより、音声データによる発音を等しい時間間隔ではなく、不定期的な間隔で行って時報とは異なる自然な話し掛けを感じさせることができ、６時間程度の間に同じ音声を発音することがなく、変化に富んだ面白味を与えることができる。
【００１８】
更に、発音順記憶手段に各音声データの読み出し順番を異ならせた複数回分の順番データを記憶させると、各音声データによる発音の回数を均等に行いつつ、発声の順番を異ならせて変化を与え、飽きのこない発音を行わせることができる。
【００１９】
また、時計体が動かされたことをセンサーで検知して発音を行わせるようにすれば、不定期的な間隔による自動発音のみでなく、時計体を移動させて音声などの発音を行わせることによって、時計体に喋らせる感覚を使用者に持たせることができる。
【００２０】
そして、時計体の近くを人が移動したことをセンサーで検知して発音を行わせるようにすれば、時計体の近くを人が移動するときに時計体から話しかけられた感覚を使用者に持たせることができる。
【図面の簡単な説明】
【００２１】
【図１】本発明に係る目覚し時計の機能構成ブロック図。
【図２】本発明に係る目覚し時計のおしゃべり動作制御の内容を示すフローチャート図。
【発明を実施するための形態】
【００２２】
本発明に係る目覚し時計は、時計回路、時刻表示部、スピーカー、及び、アラーム報知音データを記憶するデータ記憶手段を備える目覚し時計であって、アラーム報知音データとは異なる音声データの複数個を前記データ記憶手段に記憶し、この各音声データを読み出す順番を記憶する発音順記憶手段と、この各音声データを読み出す間隔時間データを記憶する読み出し間隔記憶手段と、前記読み出し間隔記憶手段に記憶された間隔時間データを順次読み出し、この間隔時間データによる時間経過後に、アラームセット状態でなければ発音順記憶手段に記憶された順番の音声データによる発音を実行させる制御部と、更に時計体が持ち上げられ又は移動させられたことを検出するセンサーや時計体の近くを人が横切ることを検知するセンサーを有するものである。
【００２３】
そして、前記制御部は、１日の内の１２時間程度の設定された時間範囲内のときに発音順記憶手段に記憶された順番の音声データによる発音を実行させ、前記データ記憶手段に記憶される前記音声データは、十数種類の各々が異なる言葉の音声データであって、読み出し間隔記憶手段には、３０分を基準として所要分秒を加えた又は引いた時間データであり、データによる時間数が複数の異なる時間数となり、このデータの１２個又は２４個による時間数の総和が３０分の整数倍となる時間間隔データが記憶されているものである。
【実施例】
【００２４】
本発明にかかる目覚し時計の実施例は、時計回路20や音声ＩＣ50、スピーカー29などを備えた電子時計であって、図１に示すように、時計回路20や時刻表示部25、アラームセットスイッチ11、時刻セットスイッチ13を備えると共に、音声ＩＣ50や人体検知センサー31、ピックアップセンサー35、モニタースイッチ17などを備えるものである。
【００２５】
この音声ＩＣ50は、アラーム報知音として発音を行う為の複数の音声データＡ、音声データＢ、音声データＣや自動的におしゃべりを行う複数の音声データ（１）、音声データ（２）、音声データ（３）、音声データ（４）・・・などを記憶するデータ記憶手段61としてのメモリを有し、時計回路20からの時刻信号や計時信号、クロック信号などに基づいて、各音声データによるデジタルデータをアナログ音声信号に変換して所定のタイミング及び所定の順番で出力させる制御部51を有し、出力順や出力タイミングのデータを記憶する２種類の発音順記憶手段として第１の発音順記憶手段53及び第２の発音順記憶手段55、読み出し間隔記憶手段57、検出時作動間隔記憶手段59などのメモリも有するものである。
【００２６】
このアラーム報知音のデータとする音声データＡ、音声データＢ、音声データＣとしては、アラーム音とする楽曲の演奏メロディーデータや、カエルの声による合唱の擬似音声データなどが記憶され、アラームセットスイッチ11などのスイッチの操作時に発音させるスイッチ操作時用音声データとする音声データa、 音声データb、 音声データcとしては、「いい夢見てケロ」「起きたケロ」「ケロケロケロ」などの音声データをアラームセット時用、アラームオフ時用、スヌーズ操作時用などとして記憶している。
【００２７】
更に、自動おしゃべり用のデータとする音声データ（１）、音声データ（２）、音声データ（３）、音声データ（４）・・・としては、「この部屋好きケロ」「踏まないでケロ」「カエルぴょこぴょこ」「実家にカエラセテいただきます」「おたまじゃくしはカエルの子」などの面白味を感じさせる種々の言葉を記憶させるものである。
【００２８】
また、第１の発音順記憶手段53には、複数のおしゃべり用の音声データの番号を順番を変更しておしゃべり用の音声データの全てを順次一巡させる様にして複数回分の番号順列を記憶させるものであり、例えば１２種類の異なるおしゃべり用の音声データがデータ記憶手段61に記憶されている場合、おしゃべり用の音声データの各番号の順番を変更しつつ１０回分を記憶させて１２０個の番号データ列を記憶させる場合や、１４種のおしゃべり用の音声データがデータ記憶手段61に記憶されている場合、しゃべり用の音声データの各番号の順番を変更しつつ１０回分を記憶させて１４０個の番号データ列を記憶させる場合などのように、読み出し順番を異ならせた複数回分の番号データを記憶させるものである。
【００２９】
そして、第２の発音順記憶手段55は、第１の発音順記憶手段53と同一の内容の番号データ列を記憶させるようにする場合や、第１の発音順記憶手段53と同様におしゃべり用の音声データの各番号の順番を変更しつつ一巡させた番号列を第１の発音順記憶手段53と同じ回数分又は少ない回数分を記憶する場合などがある。
【００３０】
更に、読み出し間隔記憶手段57は、数十分から４０分余り程度の範囲で、３０分を基準として３０分に所要分数を加えたものや３０分に所要分数を引いた時間数として異なる分数のデータを秒単位で１２個（６時間分）又は２４個（１２時間分）などを記憶するものであって、各時間データの秒単位の長さは複数の異なる数値であっても、１２個又は２４個の各データの時間の長さの総和は３０分の整数倍としているものである。
【００３１】
そして、検出時作動間隔記憶手段59には、３０秒前後の異なる時間間隔に相当する数字データを５個程度の複数個記憶させるものである。
【００３２】
また、人体検知センサー31は時計体の正面前方を人が横切るなどの動きを検出するセンサーであり、ピックアップセンサー35は使用者がこの時計体を持ち上げるなど、時計体自体を動かしたことを検出するセンサーである。
【００３３】
更に、モニタースイッチ17は、このスイッチを操作することにより音声ＩＣ50のデータ記憶手段61に記録されている全ての音声データを制御部51の制御によって順番に読み出し、各音声データに基づくアナログ音声信号を音声ＩＣ50から出力することにより、アンプ27を介してスピーカー29から各音声データに基づく発音をさせるものである。
【００３４】
そして、この目覚し時計では、アラームセットスイッチ11が操作されてアラームセット状態とされたとき、制御部51はデータ記憶手段61からスイッチ操作時用の音声データaを読み出して音声信号に変換して音声ＩＣ50から出力し、スピーカー29から「いい夢見てケロ」の音声を発音させ、アラーム時刻になると音声データＡを読み出してアラーム報知音としての曲をスピーカー29から５分程度の所定時間発音させるように流し、スヌーズ操作がされるとスイッチ操作時用の音声データｃを読み出して「ケロケロケロ」の発音をスピーカー29により行ってスヌーズ時間として設定されている５分間程度の時間が経過するとアラーム報知音としての音声データＢを読み出して別の曲をスピーカー29から５分程度の所定時間発音させるように流すものである。
【００３５】
また、アラームセットスイッチ11が操作されてアラームオフ状態とされると、スイッチ操作時用の音声データｂを読み出してスピーカー29から「起きたケロ」の発声をさせるものであり、次回のアラームセット状態でアラーム時刻に達したときは、アラーム報知音用の音声データＣを読み出してアラーム報知音としての更に別の曲をスピーカー29から流すように、アラーム報知音としての曲を順次切換えるものである。
【００３６】
更に、この音声ＩＣ50の制御部51は、時計回路20からの時刻信号に基づいて、昼間にはおしゃべり動作の制御を行うものである。
【００３７】
このおしゃべり動作の制御は、図２に示すように、先ず自動間隔時間のセット（Ｓ１００）が行われるものである。
【００３８】
この自動間隔時間のセット（Ｓ１００）は、前述の読み出し間隔記憶手段57に記憶されている数十分に相当する秒単位の時間の内の何れか所定の数字データが読み出されて所要の時間が設定されるものである。
【００３９】
そして制御部51は、現在時刻がおしゃべり動作の作動時間内であるか否かを判断する作動時間内判断（Ｓ１０５）を行う。
【００４０】
このおしゃべり作動時間としては、朝の９時から夜の９時までの時間などが予め設定されるものである。
【００４１】
そして制御部51は、おしゃべり作動時間内であれば自動間隔時間のセット（Ｓ１００）で設定した自動間隔時間のデータを減算して所要時間の経過を計測する自動間隔時間減算処理（Ｓ１１０）を行いつつ、人体検知センサー31が人の動きを検出したか否か、や、ピックアップセンサー35により時計体が動かされたか否か、を判断するセンサー検出が有るかの判断（Ｓ１１５）、及び、モニタースイッチ17が操作されたか否かを判断するモニターの検出が有るかの判断（Ｓ１２０）を行い、自動間隔時間の減算結果が「０」と成ったか否かの判断である自動間隔時間の経過判断（Ｓ１２５）を行うものである。
【００４２】
なお、人体検知センサー31やピックアップセンサー35が人の動きや時計体が動かされたことを検出したときは、後述するセンサー検出に基づく発音動作であるセンサー動作の並行処理（Ｓ２５０）として所定の発音動作を行いつつ、作動時間内判断（Ｓ１０５）、自動間隔時間減算処理（Ｓ１１０）、センサー検出が有るかの判断（Ｓ１１５）、モニターの検出が有るかの判断（Ｓ１２０）、自動間隔時間の経過判断（Ｓ１２５）を行うものである。
【００４３】
そして、センサー動作の並行処理（Ｓ２５０）として所定の発音動作を行っているときに、再度、センサー検出が有るかの判断（Ｓ１１５）によって人体検知センサー31やピックアップセンサー35が動きを検出したときは、センサー動作処理中の判断（Ｓ１１７）によりこの検出を無効としてセンサー動作の並行処理（Ｓ２５０）が終了するまで継続するものである。
【００４４】
また、モニターの検出が有るかの判断（Ｓ１２０）によりモニタースイッチ17の操作を検知したときは、モニター動作並行処理（Ｓ２７０）として、音声ＩＣ50のデータ記憶手段61に記憶されている全ての音声データを順次発音させる動作を行いつつ、作動時間内判断（Ｓ１０５）、自動間隔時間減算処理（Ｓ１１０）、センサー検出が有るかの判断（Ｓ１１５）、モニターの検出が有るかの判断（Ｓ１２０）、自動間隔時間の経過判断（Ｓ１２５）を行うものである。
【００４５】
なお、モニター動作並行処理（Ｓ２７０）により全ての音声データを順次発音させる動作を行っているときに、再度、モニタースイッチ17の操作を検出したときは、モニター動作並行処理（Ｓ２７０）を最初から実行するものであり、このモニター動作並行処理（Ｓ２７０）の処理中にアラームセットの状態でアラーム時刻に達したときは、モニター動作を中止して前述のアラーム発音動作を行うものである。
【００４６】
そして、おしゃべり動作制御において、作動時間内において所定時間とされた自動間隔時間が経過したときは、読み出し間隔記憶手段57に記憶されている自動間隔時間データの内、自動間隔時間のセット（Ｓ１００）で設定した自動間隔時間のデータの次のデータの番号となるように時間間隔順番に「１」を加える時間順番加算処理（Ｓ１３０）を行ってアラームがセットされている状態か否かの判断であるアラームセット判断（Ｓ１５０）を行うものである。
【００４７】
このアラームセット判断（Ｓ１５０）により、目覚し時計がアラームセット状態とされているときは、時間順番加算処理（Ｓ１３０）により決定した番号の自動間隔時間のデータを、読み出し間隔記憶手段57から新たに読み出し、この読み出した所要時間のデータを設定する自動間隔時間のセット（Ｓ１００）に戻るものである。
【００４８】
そして、アラームセット判断（Ｓ１５０）により目覚し時計がアラームセット状態とされていないと判断したときは、センサー動作の並行処理（Ｓ２５０）によるセンサー動作処理として、所要時間のスピーカー29から発音動作を行っている状態か否かの判断であるセンサー動作処理中の判断（Ｓ１５２）及びモニター動作並行処理（Ｓ２７０）によるモニター動作としてのスピーカー29から発音動作を行っている状態か否かの判断であるモニター動作処理中の判断（Ｓ１５４）を行う。
【００４９】
そして、センサー動作処理やモニター動作処理を行っていないときは第１の発音順記憶手段53から、例えば先頭番号などの所定の順番番号に記憶されている番号データを読み出すランダム順番読み出し処理（Ｓ１６０）を行い、番号データを読み出したデータの順番番号に「１」を加える読み出し順番加算処理（Ｓ１６５）を行うものである。
【００５０】
その後、ランダム順番読み出し処理（Ｓ１６０）で読み出した番号データの番号の音声データとして、データ記憶手段61に記憶されているおしゃべり用の音声データ（１）、音声データ（２）、音声データ（３）、音声データ（４）・・・の内から該当する番号の音声データを読み出し、音声信号に変換してアンプ27を介してスピーカー29に出力することによりスピーカー29から所定の音声を発音させつつ、自動間隔時間のセット（Ｓ１００）に戻り、作動時間内判断（Ｓ１０５）、自動間隔時間減算処理（Ｓ１１０）、センサー検出が有るかの判断（Ｓ１１５）、モニターの検出が有るかの判断（Ｓ１２０）、自動間隔時間の経過判断（Ｓ１２５）を行う音声データ読み出し発音並行処理（Ｓ２００）を行う。
【００５１】
なお、この自動間隔時間のセット（Ｓ１００）での時間設定は、時間順番加算処理（Ｓ１３０）により決定した番号の自動間隔時間のデータを、読み出し間隔記憶手段57から新たに読み出し、この読み出した所要時間のデータを設定するものである。
【００５２】
また、前述のセンサー動作処理中の判断（Ｓ１５２）やモニター動作処理中の判断（Ｓ１５４）において、センサー動作処理やモニター動作処理によりスピーカー29からの発音を行っている状態であると判断したときは、ランダム順番読み出し処理（Ｓ１６０）、読み出し順番加算処理（Ｓ１６５）、及び、音声データ読み出し発音並行処理（Ｓ２００）を行うことなく、時間順番加算処理（Ｓ１３０）により決定した番号の自動間隔時間のデータを読み出し間隔記憶手段57から新たに読み出して、この読み出した所要時間を設定する自動間隔時間のセット（Ｓ１００）に戻るものである。
【００５３】
更に、音声データ読み出し発音並行処理（Ｓ２００）によりおしゃべり用の音声データによる発音を行っているときに、センサー検出が有るかの判断（Ｓ１１５）やモニターの検出が有るかの判断（Ｓ１２０）により、人の移動や時計体の移動をセンサーにより検出したときやモニタースイッチ17の操作を検出したときは、音声データ読み出し発音並行処理（Ｓ２００）を中止し、センサー動作の並行処理（Ｓ２５０）やモニター動作並行処理（Ｓ２７０）を行うものである。
【００５４】
このように、音声ＩＣ50の制御部51によるおしゃべり動作の制御は、夜間やアラームセット状態のときを除き、約３０分前後の所要時間間隔で、自動的に時計体が話しかけるため、使用者が起きている時間帯では突然の面白さを与えることができる。
【００５５】
なお、おしゃべり作動時間は、朝９時から夜９時までに限ることなく、使用者により朝７時や１０時から夜８時や１０時までとするなどの設定変更を可能とし、又、おしゃべり動作機能自体をセット及びリセット可能とすることもある。
【００５６】
なお、前述の様にかえるに関係するおしゃべり用音声データを用いる時計体では、カエルを擬人化したフィギアなどの装飾体を付けることが好ましく、適宜の人形などの装飾体を設けるようにするものである。
【００５７】
そして、前述のセンサー動作の並行処理（Ｓ２５０）は、ピックアップセンサー35が、時計体を使用者が把持して持ち上げ、又は移動させるなどの動きを時計体に与えたとき、検出時作動間隔記憶手段59に記憶されている３０秒前後の異なる時間間隔で第２の発音順記憶手段55に記憶されたデータの番号に相当するおしゃべり用の音声データを読み出し、第２の発音順記憶手段55に記憶された順番で順次音声データ記憶手段61からおしゃべり用の音声データを読み出してスピーカー29から発音させることにより、数分間の内に数回の異なる言葉の発音を行うものである。
【００５８】
又、人体検知センサー31で人が時計体の前方を横切ることを検出したときも、同様に検出時作動間隔記憶手段59に記憶されている３０秒前後の異なる時間間隔で第２の発音順記憶手段55に記憶されたデータ番号に相当するおしゃべり用の音声データを読み出し、第２の発音順記憶手段55に記憶された順番で順次音声データ記憶手段61からおしゃべり用の音声データを読み出してスピーカー29から発音させることにより数分間の内に数回の異なる言葉の発音を行うものである。
【００５９】
このように、人体検知センサー31やピックアップセンサー35により使用者が時計体の近辺で動作を行ったときや時計体を持ち上げたり移動させたりする使用者の動作に基づいて時計体が音声を発音するときは、３分間程度の時間で所定の６個程度などの異なる言葉を続けて発するようにすれば、使用者の行為による時計体の発音によるおしゃべりを楽しむこともできる。
【００６０】
なお、人体検知センサー31とピックアップセンサー35との複数のセンサーとする場合に限ることなく、一方のセンサーのみで使用者の行為により発音させておしゃべりをさせることもある。
【００６１】
そして、センサー動作時のおしゃべりを行う音声データの順番を記憶する第２の発音順記憶手段55と時計体が不特定な所要時間毎に自動的におしゃべりをする音声データの順番を記憶する第１の発音順記憶手段53を分け、第１の発音順記憶手段53には、十数個の異なるなる番号データによる１２０個又は２４０個の番号データを所定の順番で記憶させている為、おしゃべり動作では同一音声が約６時間以内に繰り返されることがなく、十数個の番号データを順番を変えるように一巡させているため、同一音声が繰り返されるのは６時間後から１２時間後の範囲となり、この同一音声の前後の音声順番が異なっている為、飽きのこない発音を繰り返させることができる。
【００６２】
また、読み出し感覚記憶手段57には３０分を基本として所要の分数を加え又は引いた時間のデータを記憶させている為、発音間隔が正確な３０分間隔とならず、時報と異なる感覚を与え、時計体からの突然な話し掛けを自然に感じさせることができる。
【符号の説明】
【００６３】
１１  アラームセットスイッチ          １３  時刻セットスイッチ
１７  モニタースイッチ
２０  時計回路                        ２５  時刻表示部
２７  アンプ                          ２９  スピーカー
３１  人体感知センサー                ３５  ピックアップセンサー
５０  音声ＩＣ
５１  制御部
５３  第１の発音順記憶手段            ５５  第２の発音順記憶手段
５７  読み出し間隔記憶手段            ５９  検出時作動間隔記憶手段
６１  データ記憶手段
【図１】
2012063290.tif 000003
【図２】
2012063290.tif 000004